(57)【要約】【課題】建設現場等で屋外作業を行なっている際に、暑さと太陽光とによって、とくに首の背面側の部分が熱せられて発症する熱中症を効果的に防止し、熱中症に伴う健康障害や死亡災害を無くす。【解決手段】断熱性を有する矩形の保持部１０の外表面にアルミニウム箔１１を接合するとともに、保持部１０と同じ大きさの接触布１５の内側に蓄冷剤パック１６を保持し、両側に取付け紐１８を左右に引出されるように取付けるようにし、一方の取付け紐１８にはループ部２１を、他方の取付け紐１８にはフック部２２を設け、接触布１５が首の背面側の部分に接触するようにして保持部１０を首の背面側に装着し、左右の取付け紐１８のループ部２１をフック部２２に係合させて首に固定する。【選択図】図２
0003147563.tif 000002
【実用新案登録請求の範囲】
【請求項１】
柔軟なシート状の保持部と、
前記保持部内に保持されておりかつ蓄冷剤を袋内に充填した蓄冷剤パックと、
前記保持部を生体の所定の部位に取付ける取付け手段と、
を有する局部冷却装置。
【請求項２】
前記保持部が断熱性の布から構成されるとともに、外表面にアルミニウム箔が接合されていることを特徴とする請求項１に記載の局部冷却装置。
【請求項３】
前記保持部が外表面にアルミニウム層が形成された発泡シートから構成されていることを特徴とする請求項１に記載の局部冷却装置。
【請求項４】
前記保持部の内側に生体と接触するシート状の接触部材が配され、しかも前記保持部と前記接触部材との間に前記蓄冷剤パックが保持されることを特徴とする請求項１に記載の局部冷却装置。
【請求項５】
前記蓄冷剤パックを挟持するように前記保持部と前記接触部材とが互いに縫合わされていることを特徴とする請求項４に記載の局部冷却装置。
【請求項６】
前記保持部と前記接触部材との接合面側において前記保持部または前記接触部材にポケットが設けられ、該ポケットに前記蓄冷剤パックが保持されることを特徴とする請求項４に記載の局部冷却装置。
【請求項７】
取付け手段が両側に延出される一対のリボン状の紐状体であって、一方の紐状体にベルクロファスナのフック部が取付けられるとともに他方の紐状体にベルクロファスナのループ部が取付けられることを特徴とする請求項１に記載の局部冷却装置。
【請求項８】
前記取付け手段が両側に延出される一対のゴム紐とリボン状の紐状体の組合わせであって、一方の紐状体にベルクロファスナのフック部が取付けられるとともに他方の紐状体にベルクロファスナのループ部が取付けられることを特徴とする請求項１に記載の局部冷却装置。
【請求項９】
人体の首の背面に装着されることを特徴とする請求項１に記載の局部冷却装置。
【請求項１０】
人体のひざの裏側に装着されることを特徴とする請求項１に記載の局部冷却装置。
【請求項１１】
人体の胸部の脇に装着されることを特徴とする請求項１に記載の局部冷却装置。
【考案の詳細な説明】
【技術分野】
【０００１】
本考案は、局部冷却装置に係り、とくに人体を含む生体の所定の部位に装着されて該部位を冷却する局部冷却装置に関する。とくに本考案は、屋外等の夏季の暑さ対策として、屋外作業場および登山やハイキング等の屋外活動での熱中症による健康障害、死亡災害を絶滅するのに用いて好適な局部冷却装置に関する。
【背景技術】
【０００２】
屋外等の夏季の暑さ対策は、従来、屋内外の作業場、工場現場等においては、ヘルメットに小さな通気孔を明けたり、ヘルメットの内側にインナキャップを着用して、汗を吸収させて不快感を緩和したり、水で濡らしたインナキャップを着用する等の方法が採られていた。しかるにこのような方法は、夏季の暑さに対してほとんど効果を発揮しないために、単なる気分的な効果しかなく、熱中症の予防対策としてはほとんどまともに機能していなかった。
【０００３】
毎年の災害統計から明らかなように、熱中症による健康障害や死亡災害が多発している。労働者としてはこれらの熱中症による災害を減少させるために、全国安全週間に重点施策として、上述のような災害の撲滅を強調しているが、現実にはほとんど災害が減少していない。
【０００４】
夏季の高温や太陽光による熱負荷は強烈なものであって、従来の方法では、気休め程度で、抜本的対策はまだ見つからず、とくに建設現場等では、屋外での作業がほとんどで、作業時に使用できる夏季対策が渇望されていた。また、ハイキングや登山等の野外活動においても、長距離の移動時の熱中症対策が強く望まれている。
【０００５】
特開２００３−４９３１７号公報には、屋外等の夏季の暑さ対策として、建築現場等の屋外作業場およびハイキング等の屋外活動時の熱中症による健康障害、死亡災害を減少させることを目的として、可搬式後頭部冷却装置が提案されている。この冷却装置は、後頭部の首部に少なくとも１個以上の電動冷却ファンを配置するか、望ましくは、左右の耳の後方にそれぞれ電動冷却ファンを１個ずつ配置し、さらに電動冷却ファンの周辺部に噴射ノズルを配置し、霧状または気体状の冷却剤を該冷却ファンにより噴霧し、該電動冷却ファンにより飛散させることによって、大幅な冷却効果を与える可搬式後頭部冷却装置である。
【０００６】
このような冷却装置は、構造が複雑で、重量があり、装着すると身体の自由を拘束する欠点がある。また電動ファンを駆動するために電源を備えなければならず、蓄電池等を身体の所定の部位に装着しなければならなかった。このような冷却装置の最大の欠点は、非常に高価であって、簡便に利用することができない欠点がある。
【特許文献１】特開２００３−４９３１７号公報
【考案の開示】
【考案が解決しようとする課題】
【０００７】
本願考案の課題は、簡潔な構成でしかも所定の部位を効果的に冷却することが可能な局部冷却装置を提供することである。
【０００８】
本願考案の別の課題は、装着しても生体の運動を拘束しないようにした局部冷却装置を提供することである。
【０００９】
本願考案のさらに別の課題は、低コストで製作することが可能な局部冷却装置を提供することである。
【００１０】
本願考案の別の課題は、人体の首の背面を効果的に冷却することが可能な局部冷却装置を提供することである。
【００１１】
本願考案の別の課題は、人体のひざの裏側を効果的に冷却することが可能な局部冷却装置を提供することである。
【００１２】
本願考案のさらに別の課題は、人体の胸部の脇を効果的に冷却することが可能な局部冷却装置を提供することである。
【００１３】
本願考案の上記の課題および別の課題は、以下に述べる本願考案の技術的思想およびその実施の形態によって明らかにされる。
【課題を解決するための手段】
【００１４】
本願の主要な考案は、柔軟なシート状の保持部と、
前記保持部内に保持されておりかつ蓄冷剤を袋内に充填した蓄冷剤パックと、
前記保持部を生体の所定の部位に取付ける取付け手段と、
を有する局部冷却装置に関するものである。
【００１５】
ここで、前記保持部が断熱性の布から構成されるとともに、外表面にアルミニウム箔が接合されてよい。また前記保持部が外表面にアルミニウム層が形成された発泡シートから構成されてよい。また前記保持部の内側に生体と接触するシート状の接触部材が配され、しかも前記保持部と前記接触部材との間に前記蓄冷剤パックが保持されてよい。また前記蓄冷剤パックを挟持するように前記保持部と前記接触部材とが互いに縫合わされてよい。また前記保持部と前記接触部材との接合面側において前記保持部または前記接触部材にポケットが設けられ、該ポケットに前記蓄冷剤パックが保持されてよい。
【００１６】
また取付け手段が両側に延出される一対のリボン状の紐状体であって、一方の紐状体にベルクロファスナのフック部が取付けられるとともに他方の紐状体にベルクロファスナのループ部が取付けられてよい。また前記取付け手段が両側に延出される一対のゴム紐とリボン状の紐状体の組合わせであって、一方の紐状体にベルクロファスナのフック部が取付けられるとともに他方の紐状体にベルクロファスナのループ部が取付けられてよい。また人体の首の背面、ひざの裏側、あるいは胸部の脇に装着されてよい。
【考案の効果】
【００１７】
本願の主要な考案は、柔軟なシート状の保持部と、保持部内に保持されておりかつ蓄冷剤を袋内に充填した蓄冷剤パックと、保持部を生体の所定の部位に取付ける取付け手段と、を有するものである。
【００１８】
このような局部冷却装置によると、取付け手段によって保持部を生体の所定の部位に取付けることによって、柔軟なシート状の保持部内に保持された冷却剤パックによって人体の所定の部位を効果的に冷却することが可能になり、例えば人体の首の後部に装着することによって、首の背面を冷却し、これによって熱中症による健康障害を回避することが可能になる。
【考案を実施するための最良の形態】
【００１９】
図１および図２は第１の実施の形態に係る局部冷却装置を示しており、この局部冷却装置は、例えば人体の首の背面側の部分を冷却するための冷却装置である。
【００２０】
この冷却装置は、矩形の横長の布から成る保持部１０を備えている。この保持部１０は、薄い層状の綿を充填した袋状の布から構成されるとともに、その表面にアルミニウム箔１１が接合されており、図１Ａに示すようにキルティング糸１２によってキルティング状に縫合わされている。これに対してこの冷却装置の背面側には、薄地の布から成る接触布１５が取付けられている。この布１５は、人体に接触するために、柔軟であって薄地の布から構成される。
【００２１】
アルミニウム箔１１を前面に保持した保持部１０と接触布１５との間には、左右一対の蓄冷剤パック１６が配され、蓄冷剤パック１６を挟着した状態でアルミニウム箔１１と保持部１０と接触布１５とが縫合わされる。このときに保持部１０と接触布１５との間であって両側には、それぞれ取付け紐１８が縫合わされる。なお上記蓄冷剤パック１６は、多価アルコール、ポリエチレン、吸水性高分子（架橋した水溶性ポリマー）の混合物に水を添加して袋状の容器に充填密封したもので、冷却すると冷熱を蓄えておくことができるものである。
【００２２】
取付け紐１８はこの冷却装置を人体の首の部分に取付け保持するためのものであって、リボン状の紐から構成される。そして一方の取付け紐１８の表側にはベルクロファスナのループ部２１が接合される。これに対して反対側の取付け紐１８の背面側にはベルクロファスナのフック部２２が取付けられる。図１Ａはこのような冷却装置を表側から見た状態を示しており、これに対して図１Ｂは、上下を逆様にするように裏返した状態を示している。
【００２３】
このような冷却装置は、保持部１０が首の後側であって外側になるように装着される。このときに接触布１５が首の背面側の部分に直接接触するようになる。そして両側の紐１８を首に巻付けるとともに、両側の紐１８のベルクロファスナのループ部２１とフック部２２とを首の前方において互いに係合させることにより、保持部１０が首の背面側に位置するように首に装着される。
【００２４】
従って保持部１０と接触布１５との間に挟着されている蓄冷剤パック１６の冷気によって首の背面側の部分を接触布１５を介して冷却することが可能になる。またこのときに、外部の太陽光線を保持部１０の外表面に接合されたアルミニウム箔１１によって反射することができ、これによって太陽光を遮断することが可能になるとともに、蓄冷剤の溶融を抑えることが可能になる。従ってこのような冷却装置は、とくに夏季における建築現場等の屋外作業の際における首の背面側の部位の温度上昇に伴う熱中症を未然に防止することが可能になる。
【００２５】
図３および図４は別の実施の形態を示している。この実施の形態においては、保持部を発泡シート２７から構成している。すなわちポリエチレンの発泡シート２７を横長の矩形の形状にし、その外表面にアルミニウム箔１１を接着によって接合した構造をなしている。またこの実施の形態においては、接触布１５の内側であって上記発泡シート２７に対向する面に左右一対のポケット３０を形成し、これらのポケット３０内に蓄冷剤パック１６を収納保持するようにしている。なお両側に取付けられる取付け紐１８の構造は上記第１の実施の形態と同様である。
【００２６】
このような構成においても、この局部冷却装置を首に取付けて両側のベルクロファスナのループ部２１とフック部２２とを有する取付け紐１８で首に固定することによって、首の背面側の部分に保持部が装着される。従って首の背面側の部分は蓄冷剤パック１６によって冷却されることになり、また太陽光をアルミニウム箔１１によって反射して太陽光の直射を回避できるようになる。
【００２７】
図５は、保持部１０の構造が上記第１の実施の形態と同様であるが、その左右方向の寸法を小さくしている。そして接触布１５の内側には単一の蓄冷剤パック１６を保持するようにしている。このような局部冷却装置は、例えばひざの裏側に取付けられる。なお取付け部位の寸法に応じて取付け紐１８の長さをより長くしており、これによってひざの裏側に確実に保持部１０が装着されるようにしている。
【００２８】
従ってこのような構成によると、蓄冷剤パック１６の冷却効果によってひざの裏側をより確実に冷却することが可能になる。なお必ずしもひざの裏側ではなく、他の部位に取付けるようにしてもよく、これに応じて紐１８の長さを任意に設定することが可能である。
【００２９】
図６に示す構成は、保持部１０の構造を第２の実施の形態と同様にし、発泡シートによって保持部１０を構成しており、その内側に接触布１５を接合した構造になっている。そしてここでは、保持部１０が縦長の矩形の構造になっており、上下に一対の蓄冷剤パック１６を収納保持している。またここでは、保持部１０の両側にそれぞれ上下に一対ずつのゴム紐３２を接続するとともに、ゴム紐３２の先端側に取付け紐１８を接続している。そして左右の内の一方の紐１８にはその表側にベルクロファスナのループ部２１を取付け、反対側の取付け紐１８の裏側にはベルクロファスナのフック部２２を取付けるようにしている。
【００３０】
このような局部冷却装置は、例えば胸部の脇の部分に取付けられるようになっており、保持部１０は長いゴム紐３２と取付け紐１８によって胸の周りに確実に保持されることになる。従って、このような構造の局部冷却装置は、胸部の脇であって手の付根の直ぐ下の部分を確実に冷却することが可能になり、脇の下の部分の局部的な温度上昇を防止し、これによって屋外作業時の熱中症による健康障害を未然に防止できるようになる。
【００３１】
以上本願考案を図示の実施の形態によって説明したが、本願考案は上記実施の形態によって限定されることなく、本願考案の技術的思想の範囲内において各種の変更が可能である。例えば上記実施の形態は、首の背面側の部分、ひざの裏側、あるいは胸部の脇の部分を冷却する冷却装置を構成しているが、本願考案は、その他各種の部位の冷却に用いられる。また本願考案は、人体のみならず、他の生体、例えばペットの所定の部位を冷却するのにも用いられる。また冷却される部位において、保持部や、取付け紐、あるいはゴム紐の形状や寸法等についても、各種の変更が可能である。
【産業上の利用可能性】
【００３２】
本願考案は、建設現場等の屋外作業に従事する作業員が、首の背面側の部分の温度上昇によって熱中症に罹るのを防止する局部冷却装置として広く用いることが可能である。
【図面の簡単な説明】
【００３３】
【図１】第１の実施の形態の局部冷却装置の正面図および背面図である。
【図２】同局部冷却装置の分解斜視図である。
【図３】第２の実施の形態の局部冷却装置の正面図および背面図である。
【図４】同局部冷却装置の分解斜視図である。
【図５】第３の実施の形態の局部冷却装置の正面図および背面図である。
【図６】第４の実施の形態の局部冷却装置の正面図である。
【符号の説明】
【００３４】
１０  保持部
１１  アルミニウム箔
１２  キルティング糸
１５  接触布
１６  蓄冷剤パック
１８  取付け紐
２１  ループ部
２２  フック部
２７  発泡シート
３０  ポケット
３２  ゴム紐
【図１】
0003147563.tif 000003
【図２】
0003147563.tif 000004
【図３】
0003147563.tif 000005
【図４】
0003147563.tif 000006
【図５】
0003147563.tif 000007
【図６】
0003147563.tif 000008